(57)【要約】  【課題】外部に取り付けられたモータの接続端子と、フレキシブルプリント配線板との半田接合部が、外部に露出せず、内部に効率よく配置されたカメラ用羽根駆動装置を提供すること。  【解決手段】主地板１と仕切板２との間に、フレキシブルプリント配線板８が配置されている。仕切板２と補助地板３との間に羽根室が構成されている。二つのモータは、主地板１の羽根室側とは反対の面に同様にして取り付けられており、一方のモータの出力ピン１２ｂは羽根室内でシャッタ羽根９，１０に連結され、他方のモータの出力ピンは羽根室内で絞り羽根１１に連結されている。各モータの固定子コイル（１４など）の端子ピン（１５など）は、その先端を羽根室内まで突き出し、フレキシブルプリント配線板８のランドと半田接合されているが、それらの接合部は、各羽根９〜１１の作動領域外にあるため、作動上には問題がない。【選択図】  図２
2005091549.tif 000002
【特許請求の範囲】
【請求項１】
主地板に取り付けられた補助地板と、前記主地板と前記補助地板の間を仕切って前記主地板との間に配線室を構成すると共に前記補助地板との間に少なくとも一つの羽根室を構成している仕切板と、前記羽根室に配置されていて前記主地板と前記補助地板のいずれかに取り付けられている少なくとも１枚の羽根と、前記羽根を往復作動させるために前記主地板の前記仕切板側とは反対側の面に取り付けられていて少なくとも二つの接続部位を前記仕切板側に突き出しているアクチュエータと、少なくとも二つのランドを有していて前記配線室に配置されており前記羽根の作動領域外に対応する領域において該ランドを前記接続部位に各々半田で接合しているフレキシブルプリント配線板と、を備えていることを特徴とするカメラ用羽根駆動装置。
【請求項２】
前記仕切板には、前記ランドと前記接続部位との接合対応領域に開口部が設けられていて、前記接続部位と半田のうち少なくとも一方の一部が該開口部から前記羽根室内に突き出ていることを特徴とする請求項１に記載のカメラ用羽根駆動装置。
【請求項３】
前記アクチュエータが、所定の角度範囲で往復回動する出力ピンを有していて、該出力ピンが、前記主地板の孔及び前記仕切板の孔を貫通して、前記羽根に連結されていることを特徴とする請求項１又は２に記載のカメラ用羽根駆動装置。
【発明の詳細な説明】
【技術分野】
【０００１】
本発明は、シャッタ羽根や絞り羽根などの羽根部材をモータで駆動するようにしたカメラ用羽根駆動装置に関する。
【背景技術】
【０００２】
カメラに採用されるレンズシャッタ装置，絞り装置，フィルタ装置は、各々１枚又は複数枚の羽根部材を有している。そして、それらの装置は、それぞれを独立したユニットとして構成することもあるが、それらのうちの二者、又はそれらの三者を一つのユニットとして構成することもある。そして、レンズシャッタ装置の場合は、最近では、シャッタ羽根を２枚としたものが多いが、中には１枚としたり３枚以上としたものもある。また、絞り装置の場合は、複数枚の絞り羽根によって絞り口径の大きさを変化させ得るようにしたものもあるが、最近では、デジタルカメラの出現に伴い、小さい円形の開口部を有した１枚の絞り羽根を、必要に応じて撮影光路に進退させるものが多くなっている。
【０００３】
更に、フィルタ装置の場合には、フィルタ羽根が、上記の円形の開口部を有する絞り羽根と類似の形状（但し、その開口部は、地板に形成された撮影光路用の開口部と略同じ大きさの場合もある）をしていて、その開口部の近傍位置にその開口部を覆うようにしてＮＤフィルタ板を取り付けたものが多いが、上記のようなフィルタ羽根を２枚用意すると共に、それらの間に、それらと略同じ外形をしたＮＤフィルタ板を挟み合わせ、三者を同時に同じ方向へ往復作動させるようにしたものも考えられている。
【０００４】
ところで、上記のような各羽根部材は、通常は、主地板と補助地板との間に構成された羽根室内において、それらの地板の一方に回転可能に取り付けられており、駆動手段によって往復回動させられるようにしたものが多い。しかしながら、羽根部材を２枚設けたものの中には、駆動手段によって相反する方向へ略直線的に往復作動させられるようにしたものもある。また、最近では、そのような各羽根部材はモータ（アクチュエータ）で駆動されるのが普通になってきたが、そのモータは羽根室外で一方の地板に取り付けられていることが多い。更に、モータとその駆動回路とは、カメラ内での引き回しに有利なフレキシブルプリント配線板（ＦＰＣ）によって電気的に接続されているが、モータが羽根室外に取り付けられていることから、特許文献１や特許文献２にも記載されているように、モータの接続端子とフレキシブルプリント配線板の端子（ランド）とは、羽根室外において半田で接合されている。
【特許文献１】特開平９−２３６８４２号公報（第３頁、図１及び図２）
【特許文献２】特開２００２−１８２２６５号公報（第３頁、図１及び図２）
【発明の開示】
【発明が解決しようとする課題】
【０００５】
上記したように、シャッタ装置，絞り装置，フィルタ装置は、それらの一つ又は二つ以上を予めユニットとして製作しておき、カメラの組立時に、そのユニットをカメラ本体に組み付けるようにしている。そして、最近では、カメラの小型化に伴い、それらのユニットに対しても、全体的な小型化が要求されていて、スペース効率のよい構成にすることが必要になっている。また、それらの運搬時や組立作業時における取り扱いを容易にするため、外装部は、あやまって損傷させにくい構成にすることが要求されている。更に、組立後、カメラの狭いスペース内で他の構成部材に近接したり接触しても、機能上で問題が生じないような構成にすることが要求されている。ところが、従来の場合は、特許文献１，２にも記載されているように、モータとフレキシブルプリント配線板との半田接合部が外装面に露出しているので、仮に、特許文献２のように構成したとしても、上記のような要求を十分に満足させることはできなかった。
【０００６】
本発明は、このような問題点を解決するためになされたものであり、その目的とするところは、モータを取り付けている主地板の羽根室側に仕切板を配置し、それらの間にフレキシブルプリント配線板を配置すると共に、モータの接続端子とフレキシブルプリント配線板の端子とを、主地板の羽根室側であって、羽根部材の作動領域外の領域で半田接合することにより、スペース効率のよい構成であって、かつユニットとしての取り扱いが容易となり、しかもカメラ内での良好な取付状態の得られるカメラ用羽根駆動装置を提供することである。
【課題を解決するための手段】
【０００７】
上記の目的を達成するために、本発明のカメラ用羽根駆動装置は、主地板に取り付けられた補助地板と、前記主地板と前記補助地板の間を仕切って前記主地板との間に配線室を構成すると共に前記補助地板との間に少なくとも一つの羽根室を構成している仕切板と、前記羽根室に配置されていて前記主地板と前記補助地板のいずれかに取り付けられている少なくとも１枚の羽根と、前記羽根を往復作動させるために前記主地板の前記仕切板側とは反対側の面に取り付けられていて少なくとも二つの接続部位を前記仕切板側に突き出しているアクチュエータと、少なくとも二つのランドを有していて前記配線室に配置されており前記羽根の作動領域外に対応する領域において該ランドを前記接続部位に各々半田で接合しているフレキシブルプリント配線板と、を備えているようにする。
【０００８】
その場合、前記仕切板には、前記ランドと前記接続部位との接合対応領域に開口部が設けられていて、前記接続部位と半田のうち少なくとも一方の一部が該開口部から前記羽根室内に突き出ているようにすると、仕切板のコストが低減する。また、前記アクチュエータが、所定の角度範囲で往復回動する出力ピンを有していて、該出力ピンが、前記主地板の孔及び前記仕切板の孔を貫通して、前記羽根に連結されているようにすると、装置全体がコンパクトなものとなる。
【発明の効果】
【０００９】
本発明の羽根駆動装置は、アクチュエータを取り付けている主地板の羽根室側に仕切板を配置し、それらの間にフレキシブルプリント配線板を配置すると共に、モータの接続端子とフレキシブルプリント配線板の端子とを、主地板の羽室側であって、羽根部材の作動領域外の領域で半田接合するようにしたので、装置内でのスペース効率がよく、かつ半田接合部が外部に露出していないので、ユニットとしての取り扱いが容易となり、しかも、カメラ内での配置に制約を受け難いという特徴を有している。
【発明を実施するための最良の形態】
【００１０】
本発明の実施の形態を、図示した実施例によって説明する。本実施例は、上記のシャッタ装置，絞り装置，フィルタ装置のうち、シャッタ装置と絞り装置を一つのユニットとして構成したものであり、図１は、実施例の要部を示した分解斜視図であり、図２は、実施例の断面図である。また、図３は、羽根室を取り除いて、仕切板側から主地板側を見た平面図であり、図４は補助地板の約右半分を切除し、羽根の配置状態を示した平面図である。更に、図５は、モータの固定子を構成している部材を示した説明図である。
【００１１】
先ず、本実施例の構成を説明する。主地板１は、合成樹脂製であって、図１に示すように、円形をした被写体光路用の開口部１ａと、二つの長孔１ｂ，１ｃと、四つの切欠き孔１ｄ，１ｅ，１ｆ，１ｇとを有しており、上面には三つの軸１ｈ，１ｉ，１ｊと、二つの座部１ｋ，１ｍを設けている。そして、座部１ｋ，１ｍには、各々ねじ孔が形成されている。また、仕切板２は、円形をした被写体光路用の開口部２ａと、二つの長孔２ｂ，２ｃと、五つの孔２ｄ，２ｅ，２ｆ，２ｇ，２ｈと、四つの切欠き孔２ｉ，２ｊ，２ｋ，２ｍとを有している。更に、補助地板３は、円形をした被写体光路用の開口部３ａと、二つの長孔３ｂ，３ｃと、五つの孔３ｄ，３ｅ，３ｆ，３ｇ，３ｈとを有している。
【００１２】
そして、ねじ４，５を、補助地板３の孔３ｄ，３ｅ、円筒形の間座６，７、仕切板２の孔２ｄ，２ｅに順に挿入してから、主地板１に設けられた座部１ｋ，１ｍのねじ孔に螺合させることによって、主地板１と仕切板２の間に配線室を構成すると共に、仕切板２と補助地板３の間に羽根室を構成している。また、このように仕切板２と補助地板３を主地板１に取り付けた状態においては、主地板１の軸１ｈ，１ｉ，１ｊが、各々、仕切板２の孔２ｆ，２ｇ，２ｈと、補助地板３の孔３ｆ，３ｇ，３ｈに嵌合している。更に、主地板１の長孔１ｂ，１ｃは、仕切板２の長孔２ｂ，２ｃや補助地板３の長孔３ｂ，３ｃと略同じ形状をしていて、それらと重なる配置関係になっており、切欠き孔１ｄ，１ｅ，１ｆ，１ｇは、仕切板２の切欠き孔２ｉ，２ｊ，２ｋ，２ｍと重なる配置関係になっている。
【００１３】
また、本実施例においては、補助地板３に形成された開口部３ａの直径が、主地板１と仕切板２に形成された開口部１ａ，２ａの直径よりも小さくて、最大の撮影光路用開口を規制するようになっている。しかしながら、開口部１ａや開口部２ａの直径を一番小さくすることによって、最大の撮影光路用開口を規制するようにしても差し支えなく、一般的には、主地板１に形成された開口部１ａの直径を一番小さくすることが多い。尚、図３においては、補助地板３の開口部３ａを、二点鎖線で示してある。
【００１４】
主地板１と仕切板２の間に構成された配線室には、フレキシブルプリント配線板８が配置されている。そのフレキシブルプリント配線板８には、四つの切欠き孔８ａ，８ｂ，８ｃ，８ｄが形成されていると共に、明示していないが、それらの近傍領域をカバーレイで覆わずに、ランドが形成されている。また、仕切板２と補助地板３の間に構成された羽根室には、仕切板２側からシャッタ羽根９，シャッタ羽根１０，絞り羽根１１が配置されており、それぞれの孔９ａ，１０ａ，１１ａを主地板１の軸１ｈ，１ｉ，１ｊに回転可能に取り付けている。そして、シャッタ羽根９，１０には、長孔９ｂ，１０ｂが形成され、絞り羽根１１には、長孔１１ｂと、開口部３ａより直径の小さな円形の開口部１１ｃとが形成されていて、その開口部１１ｃを絞り開口としている。
【００１５】
次に、主地板１に取り付けられている二つのモータの構成を説明するが、それらの構成は全く同じであるため、先ず、主に図２を用いて、シャッタ羽根９，１０の駆動用モータについて説明する。図２から分かるように、主地板１の下面には、軸１ｎが設けられていて、そこに永久磁石製の回転子１２が回転可能に取り付けられている。この回転子１２は、強磁性体材料とプラスチック材料とを混合し、過熱して成形したあと、径方向に２極に着磁されたものであって、本実施例の場合には、円柱形をした本体部から径方向へ張り出した腕部１２ａと、その先端に設けられた出力ピン１２ｂとを一体的に同時成形している。そして、その出力ピン１２ｂを、主地板１の上記長孔１ｃに貫通させたあと、図１に示されている仕切板２の長孔２ｃ，シャッタ羽根９の長孔９ｂ，シャッタ羽根１０の長孔１０ｂ，補助地板３の長孔３ｃの順に挿入している。
【００１６】
固定子は、モータ枠１３と、コイル１４と、二つの端子ピン１５，１６と、二つのヨーク１７，１８とで構成している。先ず、モータ枠１３は、合成樹脂製であって、図５（ｃ）に示されているような平面形状をしており、中空に形成されたボビン部１３ａの長手方向の両端に、端子ピン１５，１６を圧入してある。そして、コイル１４は、そのボビン部１３ａに巻回したあと、その両端を端子ピン１５，１６に巻き付けて固定してある。また、ヨーク１７，１８は、図５（ｄ）に示されているように、殆ど同じ平面形状をして重ねられているが、各々、先端を磁極部とした二つの腕部のうち、一方の先端形状だけが異なっていて、ヨーク１８には折曲部１８ａが形成されている。そして、形状の同じ方の腕部をボビン部１３ａの中空部に貫通させている。
【００１７】
モータ枠１３は、このようにして各構成部材を組み付けたあと、孔１３ｂ（図５（ｃ）参照）を軸１ｎに挿入し、その後、孔１３ｃ（図５（ｃ）参照）にねじ１９を挿入することによって、主地板１に螺着されている。そして、主地板１へ取り付けた状態では、端子ピン１５，１６の先端は、図１に示した主地板１の切欠き孔１ｆ，１ｇ、フレキシブルプリント配線板８の切欠き孔８ｃ，８ｄ、仕切板２の切欠き孔２ｋ，２ｍを貫通して羽室内に突き出るようになっている。しかしながら、端子ピン１５，１６を、フレキシブルプリント配線板８のランドに対して半田接合（端子ピン１５の接合状態が図２に示されている）するのは、主地板１に仕切板２を取り付ける前であることは言うまでもない。そのため、端子ピン１５，１６が短い場合には、仕切板２には、切欠き孔２ｋ，２ｍを形成せず、端子ピン１５，１６や接合した半田を受け入れる凹部を形成してもよいことになる。
【００１８】
このような構成のモータは、カメラ分野では、ムービングマグネットモータとか、ムービングマグネット型モータとか称されることが多く、コイル１４に対して正方向に通電すると、回転子１２が所定の角度範囲内で一方方向へ回転し、逆方向へ通電すると逆方向へ回転する電流制御式のモータである。そして、この種のモータの場合は、コイル１４に対する無通電状態のとき、回転子の停止位置が極めて不安定となるため、回転子１２の磁力を利用して、その停止状態を維持させるための構成も知られている。本実施例の場合には、ヨーク１７，１８の形状によって、それを可能にしているが、本発明とは直接関係がないので、その説明は省略する。
【００１９】
上記したように、本実施例においては二つのモータが備えられていて、それらは全く同じ構成をしている。しかしながら、もう一つのモータは、絞り羽根１１を駆動するためのものであるため、その構成を簡単に説明しておく。主地板１には、上記の軸１ｎを設けた面に、もう一つの軸１ｐ（図３参照）が設けられていて、そこに永久磁石製の回転子２０が回転可能に取り付けられている。そして、この回転子２０にも腕部２０ａと出力ピン２０ｂが設けられていて、その出力ピン２０ｂを、主地板１の上記長孔１ｂに貫通させたあと、仕切板２の長孔２ｂ，絞り羽根１１の長孔１１ｂ，補助地板３の長孔３ｂの順に挿入している。
【００２０】
固定子は、モータ枠２１と、図示していないコイルと、二つの端子ピン２２，２３と、二つのヨーク２４，２５とで構成している。モータ枠２１は、図５（ａ）に示したような平面形状をしていて、ボビン部２１ａの長手方向の両端に、端子ピン２２，２３を圧入している。図示していないコイルは、ボビン部２１ａに巻回したあと、その両端を端子ピン２２，２３に巻き付けてある。また、ヨーク２４，２５は、図５（ｂ）に示されているように、殆ど同じ平面形状をして重ねられているが、各々、先端を磁極部とした二つの腕部のうち、一方の先端形状だけが異なっていて、ヨーク２５には折曲部２５ａが形成されている。そして、形状の同じ方の腕部をボビン部２１ａの中空部に貫通させている。
【００２１】
モータ枠２１は、このようにして各構成部材を組み付けたあと、孔２１ｂ（図５（ａ）参照）を軸１ｐに挿入し、その後、孔２１ｃ（図５（ａ）参照）にねじ２６（図３参照）を挿入することによって、主地板１に螺着されている。そして、主地板１へ取り付けた状態では、端子ピン２２，２３の先端は、図１に示した主地板１の切欠き孔１ｄ，１ｅ、フレキシブルプリント配線板８の切欠き孔８ａ，８ｂ、仕切板２の切欠き孔２ｉ，２ｊを貫通して羽室内に突き出るようになっていて、主地板１に仕切板２を取り付ける前に、フレキシブルプリント配線板８のランドに対して半田接合されている。
【００２２】
次に、本実施例の作動を、デジタルスチルカメラに採用された場合で説明する。図３及び図４は、各構成部材の初期状態、即ち撮影が行なわれる前ではあるが、カメラの電源がオンになっている状態を示したものである。そのため、開口部３ａは全開となっていて、液晶ファインダによって被写体像を観察することが可能になっている。
【００２３】
そこで、撮影に際してレリーズボタン（スイッチ）を押すと、先ず、測光結果に基づいて絞り羽根１１を作動させるかどうかが決定され、作動させる場合には、モータ枠２１のボビン部２１ａに巻回された図示していないコイルに対して正方向の通電を行い、図３において回転子２０を時計方向へ回転させる。そのため、図４において、絞り羽根１１は、回転子２０の出力ピン２０ｂによって、反時計方向へ回転させられ、開口部１１ｃの中心が開口部３ａの中心（光軸）と重なった位置で、図示していないストッパに当接して停止する。そして、本実施例の場合は、このようにして、絞り羽根１１が停止した後は、上記のコイルに対する通電を断っても、ヨーク２４，２５の一方の腕部の先端が独特の形状をしているので、それらと回転子２０の間に作用する磁力によってその状態が維持できるようになっている。
【００２４】
また、このような絞り羽根１１の作動は、絞り羽根１１と、隣接するシャッタ羽根１０が常に接触した状態で行なわれるため、作動中に両者が衝突してしまうことがない。しかしながら、ユニットの仕様によっては、図４の状態において、絞り羽根１１とシャッタ羽根１０とを一部重ね合わせるようにすることができない場合がある。その場合には、上記の作動中に、絞り羽根１１がシャッタ羽根１０に衝突してしまうため、絞り羽根１１とシャッタ羽根１０の間に、もう一つの仕切板を設ける必要がある。従って、そのようにした場合には、羽根室が二つ構成されたことになるが、本発明は、そのような構成にすることを妨げるものではない。
【００２５】
また、本実施例の場合には、上記の構成説明で述べたように、四つの端子ピン１５，１６，２２，２３と半田とが、羽根室内に存在している。しかしながら、半田の接合面は、端子ピン１５，１６，２２，２３を圧入するためにモータ枠１３，２１に形成された円形の面よりも大きくない。言い換えれば、羽根室内においては、四つの端子ピン１５，１６，２２，２３と半田とは、絞り羽根１１の作動領域には存在せず、作動領域外に存在することになるので、絞り羽根１１の作動には何の影響も与えない。従って、仕切板２と補助地板３の間隔も、最小限の間隔でよいことになる。
【００２６】
このようにして、絞り羽根１１が停止すると、固体撮像素子に蓄積されていた電荷を放出することによって撮影のための露光が開始し、所定の露光時間が経過すると、今度は、モータ枠１３のボビン部１３ａに巻回されたコイル１４に対して逆方向（二つのモータは同一仕様で製作されているので、この場合の通電方向は逆方向と表現する）の通電が行なわれ、図３において回転子１２を反時計方向へ回転させる。そのため、回転子１２の出力ピン１２ｂによって、シャッタ羽根９は、図４において、時計方向へ回転され、シャッタ羽根１０は反時計方向へ回転されて、絞り開口を規制している開口部１１ｃを閉鎖し、図示していないストッパに当接して停止する。そして、シャッタ羽根９，１０の場合にも、停止後にコイル１４に対する通電を断ったとき、ヨーク１７，１８の一方の腕部の先端が独特の形状をしているので、それらと回転子１２との間に作用する磁力によって、その状態を維持し得るようになっている。
【００２７】
このようなシャッタ羽根９，１０の作動は、絞り羽根１１が、開口部１１ｃによって撮影光路を規制しているときでも、図４の状態にあるときでも、絞り羽根１１と衝突することなく好適に作動することは、上記の絞り羽根１１の場合で説明したとおりである。しかしながら、シャッタ羽根９，１０と絞り羽根１１が、本実施例のような重なり関係で配置されている場合でも、羽根室を別々に構成することを妨げるものではない。また、四つの端子ピン１５，１６，２２，２３と半田とは、絞り羽根１１の作動領域のみならず、シャッタ羽根９，１０の作動領域にも存在していない。そのため、シャッタ羽根９，１０の作動に対しても何の影響も与えない。
【００２８】
このようにして、シャッタ羽根９，１０が開口部１１ｃを閉鎖すると、撮影によって蓄積された撮像情報が記憶装置に転送され、その転送が終了すると、モータ枠２１のボビン部２１ａに巻回された図示していないコイルに対しては逆方向の通電が行なわれ、他方、モータ枠１３のボビン部１３ａに巻回されたコイル１４に対しては正方向の通電が行なわれる。そのため、回転子２０は反時計方向へ回転し、回転子１２は時計方向へ回転することによって、絞り羽根１１とシャッタ羽根９，１０とは開口部３ａから退かされ、図示していないストッパに当接して停止する。その後、二つのコイルに対する通電を断った状態が、図４に示された初期状態であって、この状態は、各々の二つのヨークと各々の回転子との間に作用する磁力によって維持される。尚、上記においては、二つのモータに同時に通電を開始する場合で説明したが、一方のモータの回転子が停止し、通電を断ってから、他方のモータに通電を開始するようにしてもよい。
【００２９】
また、上記の作動説明においては、撮影に先立って絞り羽根１１を作動させ、撮影光路用の開口を開口部１１ｃによって規制する場合だけを説明したが、被写体光が比較的暗い場合には、絞り羽根１１を作動させず、シャッタ羽根９，１０だけを作動させるようにすることは言うまでもない。また、上記では、本実施例がデジタルスチルカメラに採用された場合で説明したが、銀塩カメラに採用された場合には、絞り羽根１１の作動は同じであるが、シャッタ羽根９，１０については、開口部３ａを閉鎖している状態が初期状態であって、撮影に際しては、撮影光路を開放し、所定時間後に閉鎖させることになる。
【００３０】
尚、上記の実施例の場合には、接続部位として端子ピン１５，１６，２２，２３を設けているが、本発明はこれに限定されることなく、アクチュエータ（モータ）のコイル自身の一部を接続部位として、直接フレキシブルプリント配線板に半田付けしても差し支えない。また、上記の実施例においては、同時に相反する方向へ往復回動する２枚のシャッタ羽根を採用しているが、本発明のシャッタ羽根は、既に述べたように、１枚で構成しても３枚以上で構成してもよく、また、２枚の場合でも、回動ではなく、相反する方向へ同時に直線的に往復作動させるものであっても差し支えない。また、絞り羽根も、実施例のような１枚構成のものに限定されず、羽根の形状を変える必要はあるものの、実施例におけるシャッタ羽根のように２枚構成とし、同時に相反する方向へ往復回動させるようにしても差し支えないし、２枚構成とする場合でも、相反する方向へ直線的に往復作動させるようにしても差し支えない。
【００３１】
また、上記の実施例には、フィルタ羽根が備えられていないが、本発明は、フィルタ羽根をモータによって駆動するようにした装置にも適用される。その場合、フィルタ羽根としては、実施例における絞り羽根１１の開口部１１ｃの近傍に、その開口部１１ｃを覆うようにして、接着剤などでＮＤフィルタ板を取り付けた態様にしてもよいし、その場合の開口部１１ｃを開口部３ａと同じ形状かそれよりも大きな形状とした態様にしてもよいし、実施例における絞り羽根１１を、開口部１１ｃを形成せずに、ＮＤフィルタ板だけで製作した態様にしてもよいし、実施例における絞り羽根１１を２枚用意し、それらの間に上記のＮＤフィルタ板だけで製作した羽根を重合した態様としたものであっても差し支えない。
【００３２】
更に、上記の実施例は、シャッタ装置と絞り装置を、一つのユニットとして構成したものであるが、本発明は、シャッタ装置，絞り装置，フィルタ装置を各々独立したユニットとして構成したものは勿論のこと、それらの装置の二つ以上をユニット化したものにも適用される。また、上記の実施例においては、アクチュエータとしてムービングマグネット（型）モータを使用しているが、同じムービングマグネット（型）モータであっても、構成の異なるタイプのものも知られている。本発明は、アクチュエータとして、それらのモータはもとより、ステップモータを用いることも可能であるが、ムービングマグネット（型）モータを用いた場合には、実施例のように、羽根室内に、回転子と一体の出力ピンだけを配置するだけで済むから、そのようにした場合には、ステップモータを用いる場合よりも、構成上は有利になる。
【図面の簡単な説明】
【００３３】
【図１】実施例の要部を分かり易く示した分解斜視図である。
【図２】実施例の断面図である。
【図３】羽根室を取り除いて、仕切板側から主地板側を見た実施例の平面図でである。
【図４】補助地板の約半分を切除し、羽根の配置状態を示した実施例の平面図である。
【図５】図５（ａ）〜（ｄ）は、各々モータの固定子を構成している部材を示した説明図である。
【符号の説明】
【００３４】
１                            主地板
１ａ，２ａ，３ａ，１１ｃ      開口部
１ｂ，１ｃ，２ｂ，２ｃ，３ｂ，３ｃ，９ｂ，１０ｂ  長孔
１ｄ，１ｅ，１ｆ，１ｇ，２ｉ，２ｊ．２ｋ，２ｍ，８ａ，８ｂ，８ｃ
，８ｄ  切欠き孔
１ｈ，１ｉ，１ｊ，１ｎ，１ｐ  軸
１ｋ，１ｍ                    座部
２                            仕切板
２ｄ，２ｅ，２ｆ，２ｇ，２ｈ，３ｄ，３ｅ，３ｆ，３ｇ，３ｈ，９ａ
，１０ａ，１１ａ，１３ｂ，１３ｃ，２１ｂ  孔
３                            補助地板
４，５，１９，２６            ねじ
６，７                        間座
８                            フレキシブルプリント配線板
９，１０                      シャッタ羽根
１１                          絞り羽根
１２，２０                    回転子
１２ａ，２０ａ                腕部
１２ｂ，２０ｂ                出力ピン
１３，２１                    モータ枠
１３ａ，２１ａ                ボビン部
１４                          コイル
１５，１６，２２，２３        端子ピン
１７，１８，１４，２５        ヨーク
１８ａ，２５ａ                折曲部
【図１】
2005091549.tif 000003
【図２】
2005091549.tif 000004
【図３】
2005091549.tif 000005
【図４】
2005091549.tif 000006
【図５】
2005091549.tif 000007